(57)【要約】      （修正有）【課題】太陽電池パネルを汎用ブロックと簡単な設置金具のみで設置できる太陽電池パネル支持構造体を提供する。【解決手段】太陽電池パネル支持構造体１は、太陽電池パネル２を所定の傾斜角で支持するものであって、１つ又は複数の第１のコンクリートブロック１０ａの外周に嵌合することにより荷重を得る第１の保持部材３と、１つ又は複数の第２のコンクリートブロック１０ｂの下に固定することにより荷重を得る第２の保持部材４を備えた保持部と、前記第１の保持部材に前記太陽電池パネル２の一端の外枠を取り付ける第１の取付部材５と、前記第２の保持部材に前記太陽電池パネル２の他端の外枠を取り付ける第２の取付部材６を備えた取付部とを備える。【選択図】図１
0003164142.tif 000002
【実用新案登録請求の範囲】
【請求項１】
太陽電池パネルを所定の傾斜角で支持する太陽電池パネル支持構造体であって、１又は複数の第１のコンクリートブロックの外周に嵌合することにより荷重を得る第１の保持部材と、１又は複数の第２のコンクリートブロックの下に固定することにより荷重を得る第２の保持部材を備えた保持部と、  前記第１の保持部材に前記太陽電池パネルの一端の外枠を取り付ける第１の取付部材と、前記第２の保持部材に前記太陽電池パネルの他端の外枠を取り付ける第２の取付部材を備えた取付部とを備える太陽電池パネル支持構造体。
【請求項２】
前記コンクリートブロックの高さと戴置数量に基づいて定まる前記第１の保持部材の嵌合位置により前記傾斜角が定められることを特徴とする請求項１に記載の太陽電池パネル支持構造体。
【請求項３】
第１および第２の太陽電池パネルを所定の傾斜角で支持する太陽電池パネル支持構造体であって、  １又は複数の第１のコンクリートブロックの外周に嵌合することにより荷重を得る第１の保持部材と、１又は複数の第２のコンクリートブロックの下に固定することにより荷重を得る第２の保持部材と、前記第１の保持部材と前記第２の保持部材との間に配置した１又は複数の第３のコンクリートブロックの外周に嵌合することにより荷重を得る第３の保持部材を備えた保持部と、  前記第１の保持部材に第１の太陽電池パネルの一端の外枠を取り付ける第１の取付部材と、前記第３の保持部材に前記第１の太陽電池パネルの他端の外枠と第２の太陽電池パネルの一端の外枠とを取り付ける第３の取付部材と、前記第２の保持部材に前記第２の太陽電池パネルの他端の外枠を取り付ける第２の取付部材を備えた取付部と、を備える太陽電池パネル支持構造体。
【請求項４】
前記コンクリートブロックの高さと積載数量に基づいて決まる前記第１の保持部材の嵌合位置と前記第３の保持部材の嵌合位置の差分により前記第１の太陽電池パネルの前記傾斜角が定められ、前記第３の保持部材の嵌合位置と前記第２の保持部材の固定位置との差分により前記第２の太陽電池パネルの前記傾斜角が定められることを特徴とする請求項３に記載の太陽電池パネル支持構造体。
【請求項５】
前記第１の太陽電池パネルの傾斜角と前記第２の太陽電池パネルの傾斜角が同一又は異なることを特徴とする請求項３または４に記載の太陽電池パネル支持構造体。
【請求項６】
前記保持部は、ステンレス鋼であることを特徴とする請求項１ないし５のいずれか１項に記載の太陽電池パネル支持構造体。
【請求項７】
前記取付部が振動を吸収する可撓性のある板状体であり、前記太陽電池パネルと前記保持部との間に前記取付部を介在させることにより、前記太陽電池パネルに印加された外力によって前記太陽電池パネルに生ずる振動の一部を吸収する構造とせしめたことを特徴とする請求項１ないし６のいずれか１項に記載の太陽電池パネル支持構造体。
【請求項８】
前記保持部が、前記第１のコンクリートブロックと前記第２のコンクリートブロックに挟まれた空間の側方に延伸した側方延伸部を備え、前記側方延伸部に１又は複数の第３のコンクリートブロックを固定することにより、前記第３のコンクリートブロックを前記太陽電池パネルの防風用コンクリートブロックとせしめる請求項１ないし７のいずれか１項に記載の太陽電池パネル支持構造体。
【請求項９】
前記コンクリートブロックはコンクリート境界ブロックであることを特徴とする請求項１ないし８のいずれか１項に記載の太陽電池パネル支持構造体。
【考案の詳細な説明】
【技術分野】
【０００１】  本考案は、太陽電池パネルを取り付ける太陽電池パネル支持構造体に関する。
【背景技術】
【０００２】  太陽電池パネルを地上に設置する場合や、建物の屋上、陸屋根などの上に設置する場合、太陽光発電モジュールの発電効率を上げるため、太陽に向かって所定の傾斜を設ける必要がある。通常、所定の傾斜は、太陽電池パネルを取り付ける架台を設置することにより実現されるが、架台は鉄やアルミニウム等のレールを組み合わせて設けられる。架台は、風等の風圧荷重で飛ばされたり転倒させられたりしないように架台取り付けのためのコンクリート基礎工事が必要とされる。
【先行技術文献】
【特許文献１】特開２００６−２１０６１３号
【特許文献２】特開２００７−３５８４９号
【考案の概要】
【考案が解決しようとする課題】
【０００３】  しかしながら、前述の基礎工事においては、基礎工事について、地上基礎の場合の基礎は、地耐力を調査した上で、地震にも耐えられるようにコンクリートフーチング又はベタ基礎とし、十分な鉄筋を使用し強度を持たせることが必要とされる。また、屋上設置の場合は、コンクリート埋め込みＬ形アンカボルト又はケミカルアンカで架台を固定することが好ましいとされる。したがって、基礎の製作に部材を必要としまた工事期間もかかるという問題がある。【０００４】  また、基礎数を低減するために太陽電池パネルを縦横に複数枚連結する工法が一般的であるが、設置場所によっては該工法が制限されるという問題がある。【０００５】  特許文献１は、これらの問題を解決するため、設置面の状況にあわせて太陽電池パネルの位置を変更せずに固定用金具を設置できるよう、設置面に接触する底板部及び該底板部から立設する直立部を有するＬ字状設置金具を備える太陽光発電装置を提案しており、該Ｌ字状固定金具の直立部に締結される支持脚部はＬ字状固定金具に対して上下可変可能としている。しかし、当該装置は基礎部材と基礎製作工事を大幅に低減するとはいえ、架台を押えコンクリート等の設置面に固定する必要がある。【０００６】  特許文献２は、架台は押えコンクリート等の設置面に固定する必要はないものの、架台の外形形状に対応した型枠を製造し、その型枠内にコンクリートを流し込んで形成するかまたは該型枠内に土等の充填物を充填する必要があり、コストと手間がかかる。
【課題を解決するための手段】
【０００７】  上記目的を達成させるために、本考案の太陽電池パネル支持構造体は、太陽電池パネルを所定の傾斜角で支持する太陽電池パネル支持構造体であって、１又は複数の第１のコンクリートブロックの外周に嵌合することにより荷重を得る第１の保持部材と、１又は複数の第２のコンクリートブロックの下に固定することにより荷重を得る第２の保持部材を備えた保持部と、第１の保持部材に太陽電池パネルの一端の外枠を取り付ける第１の取付部材と、第２の保持部材に太陽電池パネルの他端の外枠を取り付ける第２の取付部材を備えた取付部とを備えることを特徴とする。【０００８】  また、本考案の太陽電池パネル支持構造体は、コンクリートブロックの高さと戴置数量に基づいて定まる第１の保持部材の嵌合位置により傾斜角が定められることを特徴とする。【０００９】  また、本考案の太陽電池パネル支持構造体は、第１および第２の太陽電池パネルを所定の傾斜角で支持する太陽電池パネル支持構造体であって、１又は複数の第１のコンクリートブロックの外周に嵌合することにより荷重を得る第１の保持部材と、１又は複数の第２のコンクリートブロックの下に固定することにより荷重を得る第２の保持部材と、第１の保持部材と第２の保持部材との間に配置した１又は複数の第３のコンクリートブロックの外周に嵌合することにより荷重を得る第３の保持部材を備えた保持部と、第１の保持部材に第１の太陽電池パネルの一端の外枠を取り付ける第１の取付部材と、第３の保持部材に第１の太陽電池パネルの他端の外枠と第２の太陽電池パネルの一端の外枠とを取り付ける第３の取付部材と、第２の保持部材に第２の太陽電池パネルの他端の外枠を取り付ける第２の取付部材を備えた取付部と、を備えることを特徴とする。【００１０】  さらに、本考案の太陽電池パネル支持構造体は、コンクリートブロックの高さと積載数量に基づいて決まる第１の保持部材の嵌合位置と第３の保持部材の嵌合位置の差分により第１の太陽電池パネルの傾斜角が定められ、第３の保持部材の嵌合位置と第２の保持部材の固定位置との差分により第２の太陽電池パネルの傾斜角が定められることを特徴とする。【００１１】  また、本考案の太陽電池パネル支持構造体は、第１の太陽電池パネルの傾斜角と第２の太陽電池パネルの傾斜角が同一又は異なることを特徴とする。【００１２】  またさらに、本考案の太陽電池パネル支持構造体は、保持部は、ステンレス鋼であることを特徴とする。【００１３】  また、本考案の太陽電池パネル支持構造体は、取付部が振動を吸収する可撓性のある板状体であり、太陽電池パネルと保持部との間に取付部を介在させることにより、太陽電池パネルに印加された外力によって太陽電池パネルに生ずる振動の一部を吸収する構造とせしめたことを特徴とする。【００１４】  本考案の太陽電池パネル支持構造体は、本考案の太陽電池パネル支持構造体は、保持部が、第１のコンクリートブロックと第２のコンクリートブロックに挟まれた空間の側方に延伸した側方延伸部を備え、側方延伸部に１又は複数の第３のコンクリートブロックを固定することにより、第３のコンクリートブロックを前記太陽電池パネルの防風用コンクリートブロックとせしめる構造とすることができる。��００１５】  さらにまた、本考案の太陽電池パネル支持構造体は、コンクリートブロックがコンクリート境界ブロックであることを特徴とする。
【考案の効果】
【００１６】  本考案の太陽電池パネル支持構造体によれば、汎用ブロックと簡単な設置金具のみで太陽電池パネルを設置できるため、材料費用及び設置費用が大幅に安価とすることができる。【００１７】  また、本考案の太陽電池パネル支持構造体によれば、構造が簡単であるため、耐風圧及び耐荷重も大幅にアップし、金具そのものが軽量であるので、設置及び移設が容易となる。ひいては、設計期間の短縮を図ることが可能になる。【００１８】  本考案の太陽電池パネル支持構造体によれば、金具が太陽電池パネルに部分的に接触するため、太陽電池パネル本体の温度上昇を抑えることができる。【００１９】  また、本考案の太陽電池パネル支持構造体によれば、太陽電池パネルの長手方向の長さや傾斜角に基づいて保持部材間の距離を調整することで、種々の長さ及び／又は幅の太陽電池パネルの設置に対応することができる。
【図面の簡単な説明】
【００２０】
【図１】本考案に係る太陽電池パネル支持構造体の一例を示す概念図である。
【図２】本考案に係る太陽電池パネル支持構造体を模式的に示す側面図である。
【図３】本考案に係る第１の保持部材を示す斜視図である。
【図４】本考案に係る第２の保持部材を示す斜視図である。
【図５】本考案に係る実施形態における第１の保持部材に太陽電池パネルを保持し取り付ける一例を示す側面図で、（ａ）は第１の保持部材に太陽電池パネルを第１の取付部材で取り付ける状態、（ｂ）は第１の保持部材に太陽電池パネルを取り付けた第１の取付部材を締付部材で締め付ける状態をそれぞれ示す図である。
【図６】本考案に係る実施形態において、第２の保持部材に太陽電池パネルを保持し取り付ける一例を示す側面図で、（ａ）は第２の保持部材に太陽電池パネルを第２の取付部材で取り付ける状態、（ｂ）は第２の保持部材に太陽電池パネルを取り付けた第２の取付部材を締付部材で締め付ける状態をそれぞれ示す図である。
【図７】本考案に係る第１の取付部材を示す斜視図である。
【図８】本考案に係る第１の取付部材を示す側面図である。
【図９】本考案に係る第２の取付部材を示す斜視図である。
【図１０】本考案に係る第２の取付部材を示す側面図である。
【図１１】本考案に係る実施例２において、第１の保持部材と第２の保持部材との間に第３の保持部材を設置することにより、同一の傾斜角を有する２枚の太陽電池パネルを並置した太陽電池パネル支持構造体を示す概念図である。
【図１２】図１１に係る第３の保持部材を示す図である。
【図１３】本考案に係る実施例３における太陽電池パネル支持構造体を示す概念図である。
【図１４】本考案に係る実施例４において、第１の保持部材と第２の保持部材との間に第３の保持部材を設置することにより、異なる傾斜角を有する２枚の太陽電池パネルを並置した太陽電池パネル支持構造体を示す概念図である。
【図１５】本考案に係るさらに実施例５に係る太陽電池パネル支持構造体を示す概念図である。
【図１６】図１５に係る第１の保持部材を示す図である。
【図１７】図１５に係る第２の保持部材を示す図である。
【考案を実施するための形態】
【００２１】  以下、本考案の実施の形態を図面に基づき詳細に説明する。なお、各図において、同一部分には同一番号を付し、重複する説明は省略する。また、図面は、本考案を理解するために誇張して表現している場合もあり、必ずしも縮尺どおり精緻に表したものではないことに留意されたい。
【実施例１】
【００２２】  実施例１を図面を参照して詳細に説明する。図１は、本考案に係る太陽電池パネル支持構造体１を示す概念図である。太陽電池パネルの大半は長方形の形状であり、太陽電池パネルの長手方向が上下になるように架台に取り付ける場合を縦置きと呼び、長手方向が左右に取り付ける場合を横置きと呼ぶ。図１のとおり、実施例１では太陽電池パネル２は縦置きに設置されている。しかし、本考案において、太陽電池パネル２は縦置きに限定するものではなく、例示的に示していることに留意されたい。したがって、横置きに設置されてもよい。図１によると、太陽電池パネル２は、該外枠の四方の隅がそれぞれ第１の保持部材３及び第２の保持部材４に保持され、所定の傾斜角をもって支持されている。第１の保持部材３は、太陽電池パネル２の外枠の一方を第１の取付部材５により保持しており、第２の保持部材４は、該太陽電池パネル２の外枠の他方を第２の取付部材６により保持している。また、第１の保持部材３及び第２の保持部材４は、それぞれコンクリートブロック１０ａ、１０ｂを嵌合又は戴置することにより荷重を得る。【００２３】  図２を参照する。図２は、本考案に係る太陽電池支持構造体１を示す図１の側面図であり、第１の保持部材３及び第２の保持部材４と、第１の取付部材５及び第２の取付部材６とから構成されている。【００２４】  図２において、太陽電池パネル２の外枠の一方は、第１の保持部材３の、傾斜した上面に保持され、取付部材５によって挟持固定される。太陽電池パネル２の外枠の他方は、第２の保持部材４の太陽電池パネル受け面に保持され、取付部材６によって挟持固定される。【００２５】  図２によると、第１の保持部材３の上面には所定の傾斜角が形成されている。傾斜角は、第１の保持部材３の上面の全部に形成されているが、第１の保持部材３の上面の一部に形成されてもよい。第１の実施例において、第１の保持部材は、１個のコンクリート境界ブロック１０ａを嵌合する寸法を有し、傾斜角は略８度である。太陽と水平面のなす角度は通年で変化しており、太陽光が太陽電池パネル２にできる限り直角になることが好ましい。傾斜角は、第１の保持部材３の背面部と前面部と底面部とによって嵌合されるコンクリートブロック１０ａの高さと積載数量によって定めることができるが、実施例１においては、１個のコンクリート境界ブロック１０ａを嵌合することのできる第１の保持部材３を採用することにより、傾斜角度を小さく設定している。【００２６】  第１の保持部材３は、１又は複数の第１のコンクリート境界ブロック１０ａを嵌合することにより荷重を得る。実施例１において、第１の保持部材３は、１個のコンクリート境界ブロック１０ａを嵌合することにより３０ｋｇの荷重を得ている。また、第２の保持部材３は、１又は複数の第２のコンクリート境界ブロック１０ｂの下に固定することにより荷重を得る。第１の実施例において、第２の保持部材３は、１個のコンクリート境界ブロック１０ｂを嵌合することにより２１ｋｇの荷重を得ている。【００２７】  図３を参照する。図３は、本考案に係る第１の保持部材３を示す斜視図である。第１の保持部材３は、上面部３ａ、背面部３ｂ、前面部３ｃ、底面部３ｄ、貫通穴３ｅとから構成される。前述したとおり、上面部３ａは、所定の傾斜角で傾斜している。実施例１においては、背面部３ｂ側から前面部３ｃ側に向かって下がるように傾斜し、太陽電池パネル２の外枠の一方が保持される。また上面部３ａは貫通穴３ｅを有し、後述する取付部材５が太陽電池パネル２を上面部３ａに締付部材７により挟持固定される。【００２８】  図１に示されるコンクリートブロック１０ａ（図３には示されない。）は、太陽電池パネル２の幅方向から第１の保持部３に挿入され、背面部３ｂの下部と前面部３ｃと底面部３ｄで嵌合固定される。【００２９】  第１の保持部材３の材質はステンレス鋼ＳＵＳ３０４が好ましいが、これに限定されない。太陽電池パネル２の自己荷重及び風圧荷重に耐えることができるものであればよく、たとえば、一般構造用圧延鋼材ＳＳ４００の鋼製溶融亜鉛めっき仕上げ品、ステンレス鋼ＳＵＳ３１６、又はアルミニウム合金製の材質であってもよい。【００３０】  図４を参照する。図４は、本考案に係る第２の保持部材４を示す斜視図である。第２の保持部材４は、太陽電池パネル受け部４ａ、背面直立部４ｂ、前面直立部４ｃ、底面部４ｄ、貫通穴４ｅとから構成される。前述したとおり、太陽電池パネル受け部４ａは、前述の第１の保持部材３から所定の傾斜角で傾斜する太陽電池パネル２の外枠の他方を受け太陽電池パネル２を太陽電池パネル受け部４ａに締付部材８により挟持固定される。【００３１】  図１に示されるコンクリートブロック１０ｂ（図４には示されない。）は、第２の保持部４の背面直立部４ｂ、前面直立部４ｃ、底面部４ｄにされる。【００３２】  第２の保持部材４の材質はステンレス鋼ＳＵＳ３０４が好ましいが、太陽電池パネル２の自己荷重及び風圧荷重に耐えることができるものであればよく、一般構造用圧延鋼材ＳＳ４００の鋼製溶融亜鉛めっき仕上げ品、ステンレス鋼ＳＵＳ３１６、又はアルミニウム合金製のものであってもよい。【００３３】  図５を参照する。図５は、実施例１において、第１の保持部材３に太陽電池パネル２を保持し取り付ける一例を示す側面図である。（ａ）は第１の保持部材３に太陽電池パネル２を第１の取付部材５で取り付ける状態を示している。（ｂ）は第１の保持部材３に太陽電池パネル２を取り付けた第１の取付部材５を締付部材７で締め付ける状態を示している。締付部材７はボルトを使用しているが、締付固定にはボルト及びナット、又はそれ以外の方法であってもよい。【００３４】  図６を参照する。図６は、実施例１において、第２の保持部材４に太陽電池パネル２を保持し取り付ける一例を示す側面図である。（ａ）は第２の保持部材４に太陽電池パネル２を第２の取付部材６で取り付ける状態を示している。（ｂ）は第２の保持部材４に太陽電池パネル２を取り付けた第２の取付部材６を締付部材８で締め付ける状態を示している。締付部材８はボルトを使用しているが、締付固定にはボルト及びナット、又はそれ以外の方法であってもよい。【００３５】  図７及び図８を参照する。図７及び図８は、それぞれ本考案に係る第１の取付部材５を示す斜視図及び平面図である。図７及び図８に示す通り、第１の取付部材５は、底板部５ａ、直立部５ｂ、パネル押え部５ｃ、貫通穴５ｅ��から構成される。図８に示すとおり、直立部５ｂは底板部５ａに対して略直角に形成される。一方、パネル押え部５ｃは、直立部５ｂに対して直角よりも略鋭角に形成される。該構造により太陽電池パネル２を上部からの押圧により挟持固定することができる。また底板部５ａは貫通穴５ｅを有し、太陽電池パネル２を上面部３ａに締付部材７により挟持固定する。【００３６】  図９及び図１０を参照する。図９及び図１０は、それぞれ本考案に係る第２の取付部材６を示す斜視図及び平面図である。図９及び図１０に示す通り、第２の取付部材６は、底板部６ａ、直立部６ｂ、パネル押え部６ｃ、貫通穴６ｅとから構成される。図１０に示すとおり、直立部６ｂはパネル押え部６ｃに対して略直角に形成される。一方、直立部６ｂは、太陽電池パネル２の傾斜角に対して直角に形成される。したがって、直立部６ｂは、底板部６ａに対して直角よりも略鋭角に形成される。該構造により太陽電池パネル２を上部からの押圧により固定することができる。また底板部６ａは貫通穴６ｅを有し、太陽電池パネル２を底面部４ｄに締付部材８により挟持固定する。【００３７】  第１の取付部材５及び第２の取付部材６の材質はステンレス鋼ＳＵＳ３０４が好ましいが、これに限定されない。【００３８】  別の実施形態として、第１の取付部材５及び第２の取付部材６を、振動を吸収する可撓性のある板状体とし、太陽電池パネル２と保持部との間に第１の取付部材５及び第２の取付部材６を介在させることにより、風圧等の太陽電池パネル２に印加された外力によって太陽電池パネル２に生ずる振動の一部を吸収する構造としてもよい。
【実施例２】
【００３９】  次に実施例２について説明する。【００４０】  図１１を参照する。図１１は、第１の保持部材２３と第２の保持部材２４との間に第３の保持部材２０を設置することにより、同一の傾斜角を有する２枚の太陽電池パネル２２ａ、２２ｂを並置した太陽電池パネル支持構造体２１を示す概念図である。すなわち、太陽電池パネル２２ａは、第１の保持部材２５と第３の保持部材２０との間に挟持固定され、太陽電池パネル２２ｂは、第３の保持部材２０と第２の保持部材２４との間に挟持固定される。【００４１】  図１２を参照する。図１２は、図１１に係る第３の保持部材２０を示す。図１２に示す通り、第３の保持部材２０は、太陽電池パネル受け部２０ａ、直立部２０ｂ、第１の底面部２０ｃ、第１の貫通穴２０ｄと、上面部２０ｅ、背面部２０ｈ、前面部２０ｆ，第２の底面部２０ｇ、第２の貫通穴２０ｉとから構成される。第３の保持部材２０のうち、太陽電池パネル受け部２０ａ、直立部２０ｂ、第１の底面部２０ｃ及び第１の貫通穴２０ｄは、前述した第２の保持部材４の太陽電池パネル受け部４ａ、背面直立部４ｂ、底面部４ｄ、貫通穴４ｅにそれぞれ対応し、上面部２０ｅ、背面部２０ｈ、前面部２０ｆ，第２の底面部２０ｇ及び第２の貫通穴２０ｉは、第１の保持部材３の上面部３ａ、背面部３ｂ、前面部３ｃ、底面部３ｄ、貫通穴３ｅにそれぞれ対応する。
【実施例３】
【００４２】  次に実施例３について説明する。【００４３】  図１３を参照する。図１３は、実施例１の変形形態であり、第１の保持部材は、４個のコンクリート境界ブロック３００ａを合する寸法を有する。前述したとおり、傾斜角は、第１の保持部材３３の背面部と前面部と底面部とによって嵌合されるコンクリートブロック３００ａの高さと積載数量によって定めることができるが、実施例３においては、４個のコンクリート境界ブロック３００ａを嵌合することのできる第１の保持部材３３を採用することにより、傾斜角度を実施例１よりも大きく設定することができる。このように複数のコンクリートブロック３００ａを嵌合する寸法を有することで、略１０度以上の傾斜角を得ることが可能になるとともに、より大きな荷重を得、太陽電池支持構造体３１の安定度を増すことができる。【００４４】  なお、実施例３の太陽電池パネル支持構造体３１を、図１１で示すような太陽電池パネルを同一の傾斜角により並置することも可能である。この場合、陰の発生によるいわゆるホットスポットと呼ばれる局部発熱現象に留意する必要があるため、第３の保持部材２０の第１の底面部の長さを長くし、太陽電池パネル支持構造体２１の安定度を増すため、該底面部に複数のコンクリートブロックを戴置すればよい。
【実施例４】
【００４５】  次に実施例４を説明する。【００４６】  図１４を参照する。図１４は、第１の保持部材４３と第２の保持部材４４との間に第３の保持部材４０を設置することにより、異なる傾斜角を有する２枚の太陽電池パネル４２ａ、４２ｂを並置した太陽電池パネル支持構造体４１を示す概念図である。実施例４においては、図１４に示されるとおり、太陽電池パネル４２ａの傾斜角が太陽電池パネル４２ｂの傾斜角よりも大きく示されているが、逆であってもよい。この場合、陰の発生によるいわゆるホットスポットと呼ばれる局部発熱現象に留意する必要があるため、第３の保持部材４０の第１の底面部の長さを長くし、太陽電池パネル支持構造体５１の安定度を増すため、該底面部に複数のコンクリートブロックを戴置すればよい。
【実施例５】
【００４７】  最後に実施例５を説明する。【００４８】  図１５を参照する。図１５は、防風用のコンクリートブロック５０１ａ、５０１ｂ、５０１ｃを戴置することが可能な側方延伸部を備えた第１の保持部材５３と第２の保持部材５４を備える太陽電池パネル支持構造体５１を示す斜視図である。太陽電池パネル支持構造体５１の側面に吹入る風をコンクリートブロック５０１ａ、５０１ｂ、５０１ｃで堰止し、太陽電池パネル５１の風圧荷重を軽減することができる。【００４９】  図１６を参照する。図１６は、防風用のコンクリートブロック５０１ａ（図１６に図示せず。）を戴置することが可能な第１の保持部材５３を示す。第１の保持部材５３は、上面部５３ａ、背面部５３ｂ、前面部５３ｃ、底面部５３ｄ、貫通穴５３ｅ、側面直立部５３ｆとから構成される。前述の実施例１に示す第１の保持部材３とは、底面部５３ｄと側面直立部５３ｆが異なる。図１６に示すとおり、底面部５３ｄは、太陽電池パネル５２の幅方向（側方）にコンクリートブロック５０１ａ（図１６に図示せず。）の幅寸法の長さだけ延伸している。また、側面直立部５３ｆは、底面部５３ｄの延伸した端部から直立し該コンクリートブロック５０１ａを挟持固定する。ここでは、この底面部５３ｄの側方への延伸部分と側面直立部５３ｆを「第１の側方延伸部」と呼ぶ。【００５０】  図１７を参照する。図１７は、図１６に示す防風用のコンクリートブロック５０１ｃ（図１７に図示せず。）を戴置することが可能な第２の保持部材５４を示す。第２の保持部材５４は、太陽電池パネル受け部５４ａ、背面直立５４ｂ、前面直立部５４ｃ、底面部５４ｄ、貫通穴５４ｅ、側面直立部５４ｆとから構成される。前述の実施例１に示す第２の保持部材４とは、底面部５４ｄと側面直立部５４ｆが異なる。図１７に示すとおり、底面部５４ｄは、太陽電池パネル５２の幅方向にコンクリートブロック５０１ｃ（図１７に図示せず。）の幅寸法の長さだけ延伸している。また、側面直立部５４ｆは、底面部５４ｄの延伸した端部から直立し該コンクリートブロック５０１ｃを挟持固定する。ここでは、この底面部５３ｄの側方への延伸部分と側面直立部５３ｆを「第２の側方延伸部」と呼ぶ。【００５１】  上記のように実施例５の保持部は「第１の側方延伸部」と「第２の側方延伸部」の側方延伸部を備えた構成となっている。この「第１の側方延伸部」と「第２の側方延伸部」に対してコンクリートブロック５０１ａ、コンクリートブロック５０１ｃをそれぞれ固定することにより、図１５に示すように、太陽電池パネル５２と第１のコンクリート境界ブロックと第２のコンクリート境界ブロックで囲まれた空間の側方を遮蔽することができ、いわゆる防風用コンクリートブロックとして用いることができる。  このように、防風用コンクリートブロックを設けることにより、太陽電池パネル支持構造体５１の側面に吹入る風を堰止し、太陽電池パネル５１の風圧荷重を軽減することができる。
【産業上の利用可能性】
【００５２】  本考案の太陽電池パネル支持構造体は、１または複数枚の太陽電池パネルを設置固定するための部材として利用することができる。太陽電池パネルの種類は問わず、広く適用できる汎用性を有する。
【符号の説明】
【００５３】１、２１、３１、４１、５１    太陽電池パネル支持構造体２、２２ａ、２２ｂ、３２、４２ａ、４２ｂ、５２    太陽電池パネル３、２３、３３、４３、５３    第１の保持部材４、２４、３４、４４、５４    第２の保持部材５、２５、３５、４５、５５    第１の取付部材６、２６、３６、４６、５６    第２の取付部材７、８    締付部材２０、４０    第３の保持部材２７、２８、４７，４８    第３の取付部材
【図１】
0003164142.tif 000003
【図２】
0003164142.tif 000004
【図３】
0003164142.tif 000005
【図４】
0003164142.tif 000006
【図５】
0003164142.tif 000007
【図６】
0003164142.tif 000008
【図７】
0003164142.tif 000009
【図８】
0003164142.tif 000010
【図９】
0003164142.tif 000011
【図１０】
0003164142.tif 000012
【図１１】
0003164142.tif 000013
【図１２】
0003164142.tif 000014
【図１３】
0003164142.tif 000015
【図１４】
0003164142.tif 000016
【図１５】
0003164142.tif 000017
【図１６】
0003164142.tif 000018
【図１７】
0003164142.tif 000019